(57)【要約】【課題】生体情報を車両内外で利用させることができる生体情報記憶システム、及び、車内生体情報記憶装置を提供することを目的とする。【解決手段】生体情報記憶システム１、及び、車内生体情報記憶装置１００は、車両の乗員の生体情報を検出する生体情報検出部１１０と、車両に据え置かれ情報を記憶する車内記憶部１０１と、車両の内部に持ち込み可能である携帯端末２００に設けられ情報を記憶する携帯記憶部２０１と、生体情報検出部１１０が検出した生体情報を車内記憶部１０１と携帯記憶部２０１とに振り分けて記憶させる処理を実行可能である車内情報処理部１６０とを備えることを特徴とする。【選択図】図２
2018011631.tif 000002
【特許請求の範囲】
【請求項１】
車両の乗員の生体情報を検出する生体情報検出部と、
前記車両に据え置かれ情報を記憶する車内記憶部と、
前記車両の内部に持ち込み可能である携帯端末に設けられ情報を記憶する携帯記憶部と、
前記生体情報検出部が検出した前記生体情報を前記車内記憶部と前記携帯記憶部とに振り分けて記憶させる処理を実行可能である車内情報処理部とを備えることを特徴とする、
生体情報記憶システム。
【請求項２】
前記車内記憶部は、前記車両内の機器を制御する制御部に設けられる第１記憶部、及び、前記第１記憶部よりも大容量の情報を記憶可能である第２記憶部を含む、
請求項１に記載の生体情報記憶システム。
【請求項３】
前記生体情報検出部は、前記乗員に装着され、前記車両の外部で前記生体情報を検出可能であるウェアラブル機器を含み、
前記携帯記憶部は、前記車両の外部で前記ウェアラブル機器が検出した前記生体情報を、前記車内情報処理部を介さずに記憶し、
前記車内情報処理部は、前記携帯記憶部に記憶された前記生体情報と前記車内記憶部に記憶された前記生体情報とを連携させる処理を実行可能である、
請求項１又は請求項２に記載の生体情報記憶システム。
【請求項４】
前記車両の外部に設けられ情報を記憶する車外記憶部と、
前記携帯記憶部に記憶された前記生体情報を前記車外記憶部に記憶させる処理を実行可能である車外情報処理部とを備える、
請求項１乃至請求項３のいずれか１項に記載の生体情報記憶システム。
【請求項５】
前記車外情報処理部は、前記携帯記憶部に記憶された前記生体情報と前記車外記憶部に記憶された前記生体情報とを連携させる処理を実行可能である、
請求項４に記載の生体情報記憶システム。
【請求項６】
現在の前記生体情報、及び、過去の前記生体情報に基づいて動作する動作部を備える、
請求項１乃至請求項５のいずれか１項に記載の生体情報記憶システム。
【請求項７】
車両の乗員の生体情報を検出する生体情報検出部と、
前記車両に据え置かれ情報を記憶する車内記憶部と、
前記生体情報検出部が検出した前記生体情報を前記車内記憶部と前記車両の内部に持ち込み可能である携帯端末に設けられ情報を記憶する携帯記憶部とに振り分けて記憶させる処理を実行可能である車内情報処理部とを備えることを特徴とする、
車内生体情報記憶装置。
【発明の詳細な説明】
【技術分野】
【０００１】
本発明は、生体情報記憶システム、及び、車内生体情報記憶装置に関する。
【背景技術】
【０００２】
車両において生体情報を利用する従来のシステムとして、例えば、特許文献１には、運転者による車両の運転操作を補助する動作、あるいは該運転操作のための情報を運転者に提示する動作の少なくとも何れかの運転支援動作を実行する運転支援装置が開示されている。この運転支援装置は、運転支援動作に使用する動作パラメーターが記憶されたパラメーター記憶部と、運転者の生体情報を検出する生体情報検出部と、運転者の運転挙動を検出する運転挙動検出部と、生体情報または運転挙動の少なくとも一方に基づいて運転者の体調を判定する体調判定部と、体調の判定結果に基づいて動作パラメーターを変更するパラメーター変更部と、動作パラメーターに従って所定の運転支援動作を実行する運転支援実行部とを備える。
【先行技術文献】
【特許文献】
【０００３】
【特許文献１】特開２０１５−２０３９９４号公報
【発明の概要】
【発明が解決しようとする課題】
【０００４】
ところで、上述の特許文献１に記載の運転支援装置は、例えば、生体情報の利用の点で更なる改善の余地がある。
【０００５】
本発明は、上記の事情に鑑みてなされたものであって、生体情報を車両内外で利用させることができる生体情報記憶システム、及び、車内生体情報記憶装置を提供することを目的とする。
【課題を解決するための手段】
【０００６】
上記目的を達成するために、本発明に係る生体情報記憶システムは、車両の乗員の生体情報を検出する生体情報検出部と、前記車両に据え置かれ情報を記憶する車内記憶部と、前記車両の内部に持ち込み可能である携帯端末に設けられ情報を記憶する携帯記憶部と、前記生体情報検出部が検出した前記生体情報を前記車内記憶部と前記携帯記憶部とに振り分けて記憶させる処理を実行可能である車内情報処理部とを備えることを特徴とする。
【０００７】
また、上記生体情報記憶システムでは、前記車内記憶部は、前記車両内の機器を制御する制御部に設けられる第１記憶部、及び、前記第１記憶部よりも大容量の情報を記憶可能である第２記憶部を含むものとすることができる。
【０００８】
また、上記生体情報記憶システムでは、前記生体情報検出部は、前記乗員に装着され、前記車両の外部で前記生体情報を検出可能であるウェアラブル機器を含み、前記携帯記憶部は、前記車両の外部で前記ウェアラブル機器が検出した前記生体情報を、前記車内情報処理部を介さずに記憶し、前記車内情報処理部は、前記携帯記憶部に記憶された前記生体情報と前記車内記憶部に記憶された前記生体情報とを連携させる処理を実行可能であるものとすることができる。
【０００９】
また、上記生体情報記憶システムでは、前記車両の外部に設けられ情報を記憶する車外記憶部と、前記携帯記憶部に記憶された前記生体情報を前記車外記憶部に記憶させる処理を実行可能である車外情報処理部とを備えるものとすることができる。
【００１０】
また、上記生体情報記憶システムでは、前記車外情報処理部は、前記携帯記憶部に記憶された前記生体情報と前記車外記憶部に記憶された前記生体情報とを連携させる処理を実行可能であるものとすることができる。
【００１１】
また、上記生体情報記憶システムでは、現在の前記生体情報、及び、過去の前記生体情報に基づいて動作する動作部を備えるものとすることができる。
【００１２】
上記目的を達成するために、本発明に係る車内生体情報記憶装置は、車両の乗員の生体情報を検出する生体情報検出部と、前記車両に据え置かれ情報を記憶する車内記憶部と、前記生体情報検出部が検出した前記生体情報を前記車内記憶部と前記車両の内部に持ち込み可能である携帯端末に設けられ情報を記憶する携帯記憶部とに振り分けて記憶させる処理を実行可能である車内情報処理部とを備えることを特徴とする。
【発明の効果】
【００１３】
本発明に係る生体情報記憶システム、及び、車内生体情報記憶装置は、生体情報検出部が検出した車両の乗員の生体情報を車内情報処理部によって車内記憶部と携帯記憶部とに振り分けて記憶させることから、車両の内部では車内記憶部に記憶された生体情報を利用する一方、車両の外部では携帯端末に設けられた携帯記憶部に記憶された生体情報を利用することができるので、生体情報を車両内外で利用させることができる、という効果を奏する。
【図面の簡単な説明】
【００１４】
【図１】図１は、実施形態に係る生体情報記憶システムの概略構成を表す模式図である。
【図２】図２は、実施形態に係る生体情報記憶システムの概略構成を表すブロック図である。
【図３】図３は、実施形態に係る生体情報記憶システムにおける処理の一例を表すフローチャート図である。
【発明を実施するための形態】
【００１５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１６】
［実施形態］
図１、図２に示す本実施形態の生体情報記憶システム１は、車両Ｖの乗員ＣＲの生体情報を車両Ｖ内の車内記憶部１０１と携帯端末２００の携帯記憶部２０１とに振り分けて記憶させることで、生体情報を車両Ｖの内外（以下、単に「車両内外」という場合がある。）でシームレスに管理、利用させることができるシステムである。ここで、車両Ｖの乗員ＣＲは、車両Ｖの運転者に限らず、車両Ｖを運転しない搭乗者も含むものである。以下、各図を参照して生体情報記憶システム１の構成について詳細に説明する。
【００１７】
具体的には、生体情報記憶システム１は、図１、図２に示すように、車両Ｖに設けられる車内側機器群１００と、車両Ｖの内部に持ち込み可能である携帯端末２００と、車両Ｖの外部に設けられる車外側機器群３００とを備える。車内側機器群１００は、車内生体情報記憶装置を構成するものである。携帯端末２００は、言い換えれば、車両Ｖの外部に持ち出し可能なものである。車外側機器群３００は、車外生体情報記憶装置を構成するものである。生体情報記憶システム１は、携帯端末２００が車内側機器群１００と車外側機器群３００との双方と連携することで、これら車内側機器群１００、携帯端末２００、車外側機器群３００を相互に連携させて車両Ｖの乗員ＣＲの生体情報を管理、利用する連携システムである。
【００１８】
車内側機器群１００は、車両Ｖに設けられる機器群である。車内側機器群１００は、生体情報検出部としての生体情報検出装置１１０と、車両情報検出装置１２０と、制御部としてのＥＣＵ（Ｅｌｅｃｔｒｏｎｉｃ  Ｃｏｎｔｒｏｌ  Ｕｎｉｔ）１３０と、車内記憶装置１４０と、動作部１５０と、車内情報処理部としての車内情報処理装置１６０とを備え、これらが車両Ｖに設けられる。
【００１９】
生体情報検出装置１１０は、車両Ｖの乗員ＣＲの生体情報を検出するものである。生体情報検出装置１１０が検出する乗員ＣＲの生体情報は、生体（乗員ＣＲ）が発する種々の生理学的情報に加え、これらの情報から派生する種々の情報を含んでいてもよい。生体情報検出装置１１０が検出する乗員ＣＲの生体情報は、例えば、心電情報、心拍数、呼吸数、脈拍数、血圧、体温、脳波、筋電流等のバイタルサイン、指紋情報、静脈情報、顔貌情報、声紋情報、虹彩情報等の個人を識別が可能な個体識別情報、血中アルコール濃度、視線情報、これらの情報に基づいて推定される派生情報としての睡眠時間等を含んでいてもよい。生体情報検出装置１１０は、これらを検出するための血圧センサ、心電センサ、心拍センサ、呼吸センサ、脈拍センサ、血圧センサ、体温センサ、脳波センサ、筋電流センサ、各種個体識別情報センサ等の種々の検出器を含んで構成される。本実施形態の生体情報検出装置１１０は、車両Ｖの内部で生体情報を検出する機器に加え、車両Ｖの外部でも生体情報を検出する機器を含む。ここでは、生体情報検出装置１１０は、一例として、車両Ｖのシートに設けられるシート内検出器１１１、車両Ｖのステアリングに設けられるステアリング内検出器１１２、及び、乗員ＣＲに装着され車両Ｖの外部でも生体情報を検出可能であるウェアラブル機器１１３等を含むものとして図示しており、これらシート内検出器１１１、ステアリング内検出器１１２、ウェアラブル機器１１３に種々の検出器が設けられる。生体情報検出装置１１０は、この他、例えば、乗員ＣＲを撮像し当該撮像した画像に基づいて生体情報を検出するカメラ、乗員ＣＲに光を照射して反射させ受光した反射光に基づいて生体情報を検出する光学系検出器等、種々の検出機器を含んでいてもよい。生体情報検出装置１１０は、車内情報処理装置１６０と電気的に接続されており、検出した乗員ＣＲの生体情報を車内情報処理装置１６０に出力する。
【００２０】
車両情報検出装置１２０は、車両Ｖの車両情報を検出するものである。車両情報検出装置１２０が検出する車両情報は、車両Ｖの状態を示す情報である。車両情報検出装置１２０が検出する車両Ｖの車両情報は、例えば、車両Ｖの車速、加速度、操舵角、アクセルペダルの操作量（アクセル踏み込み量）、ブレーキペダルの操作量（ブレーキ踏み込み量）、方向指示器（ウインカ）の操作の有無／指示方向、車両Ｖの周囲の画像情報、車両Ｖの周辺の外部物体情報、車両Ｖの現在位置情報（ＧＰＳ情報）等を含んでいてもよい。車両情報検出装置１２０は、これらを検出するための車速センサ、加速度センサ、操舵角センサ、アクセルセンサ、ブレーキセンサ、ウインカスイッチ、ＣＣＤカメラ等の撮像装置、各種レーダやソナー、ＧＰＳ受信機等の種々の検出器を含んで構成される。また、車両情報検出装置１２０は、車両Ｖの全体を統括的に制御する制御装置と電気的に接続され、当該制御装置と連携して種々の車両情報を検出するようにしてもよい。車両情報検出装置１２０は、車内情報処理装置１６０と電気的に接続されており、検出した車両Ｖの車両情報を車内情報処理装置１６０に出力する。
【００２１】
ＥＣＵ１３０は、車両Ｖ内の機器を制御する制御部である。本実施形態のＥＣＵ１３０は、一例として、走行系ＥＣＵ１３０Ａ、ＭＭ（Ｍｕｌｔｉ  Ｍｅｄｉａ）系ＥＣＵ１３０Ｂ等を含むものとして図示しているがこれに限らず他のＥＣＵを含んで構成されてもよい。走行系ＥＣＵ１３０Ａは、車両Ｖ内において、車両Ｖの走行制御、自動運転制御、安全系に関する制御等に係る機器（走行用パワートレーン、操舵装置、制動装置等）の制御を行うものである。ＭＭ系ＥＣＵ１３０Ｂは、車両Ｖ内において、エンターテインメント等、マルチメディア系に係る機器（スピーカ、車内照明、各種表示装置、各種入出力装置等）の制御を行うものである。なお、以下の説明では、走行系ＥＣＵ１３０ＡとＭＭ系ＥＣＵ１３０Ｂとを特に区別して説明する必要がない場合には、単にＥＣＵ１３０という。
【００２２】
各ＥＣＵ１３０は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の中央演算処理装置、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びインターフェースを含む周知のマイクロコンピュータを主体とする電子回路を含んで構成される。各ＥＣＵ１３０は、生体情報検出装置１１０、車両情報検出装置１２０、車両Ｖ内の機器（走行用パワートレーン、操舵装置、制動装置、スピーカ、車内照明、各種表示装置、各種入出力装置）等が電気的に接続され、検出結果に対応した検出信号、各部を駆動させるための駆動信号等の各種の電気信号を相互に授受することができる。各ＥＣＵ１３０は、各種入力信号等に基づいて、格納されている制御プログラムを実行することにより、車両Ｖ内の機器に出力信号を出力し当該車両Ｖ内の機器の駆動を制御する。
【００２３】
具体的には、各ＥＣＵ１３０は、機能概念的に、ＥＣＵ記憶部１３１、及び、処理部１３２を含んで構成される。ＥＣＵ記憶部１３１、及び、処理部１３２は、電気的に接続されている各種装置との間で種々の情報を授受することができる。
【００２４】
ＥＣＵ記憶部１３１は、機能概念的に、生体情報記憶部１３１ａ、車両情報記憶部１３１ｂを含んで構成される。生体情報記憶部１３１ａは、各ＥＣＵ１３０のＥＣＵ記憶部１３１において生体情報を記憶する部分である。生体情報記憶部１３１ａは、典型的には、生体情報検出装置１１０によって検出され、車内情報処理装置１６０によって処理され、振り分けられた生体情報を記憶する。生体情報記憶部１３１ａは、生体情報を記憶する際には、情報が検出された際の検出日時／検出位置、情報を記憶する際の記憶日時等の基本情報も合わせて記憶するとよい。車両情報記憶部１３１ｂは、各ＥＣＵ１３０のＥＣＵ記憶部１３１において車両情報を記憶する部分である。車両情報記憶部１３１ｂは、典型的には、車両情報検出装置１２０によって検出され、車内情報処理装置１６０によって処理され、振り分けられた車両情報を記憶する。車両情報記憶部１３１ｂは、車両情報を記憶する際には、上記基本情報も合わせて記憶するとよい。ＥＣＵ記憶部１３１は、この他、処理部１３２で実行される各種プログラムや制御データを記憶する。
【００２５】
このＥＣＵ記憶部１３１は、車両Ｖに据え置かれ情報を記憶する車内記憶部１０１を構成する。ここで、本実施形態の車内記憶部１０１は、ＥＣＵ記憶部１３１と、当該ＥＣＵ記憶部１３１よりも大容量の情報を記憶可能である後述の第２記憶部としての車内記憶装置１４０を含んで構成される。そして、ＥＣＵ記憶部１３１は、車内記憶部１０１において、車両Ｖ内の機器を制御する各ＥＣＵ１３０に設けられる第１記憶部を構成する。
【００２６】
処理部１３２は、各ＥＣＵ１３０に接続される車両Ｖ内の機器（走行用パワートレーン、操舵装置、制動装置、スピーカ、車内照明、各種表示装置、各種入出力装置）を統括的に制御する部分である。処理部１３２は、ＥＣＵ記憶部１３１に記憶されている各種プログラムを実行し、当該プログラムが動作することにより車両Ｖ内の機器の機能を実現するために必要な様々な処理を行う。
【００２７】
車内記憶装置１４０は、上述のように車両Ｖに据え置かれ情報を記憶する車内記憶部１０１を構成するものである。より詳細には、車内記憶装置１４０は、上述のように、車内記憶部１０１において、ＥＣＵ記憶部１３１よりも大容量の情報を記憶可能である第２記憶部を構成する。車内記憶装置１４０は、例えば、ハードディスク、ＳＳＤ（Ｓｏｌｉｄ  Ｓｔａｔｅ  Ｄｒｉｖｅ）、光ディスクなどの比較的に大容量の記憶装置、あるいは、ＲＡＭ、フラッシュメモリ、ＮＶＳＲＡＭ（Ｎｏｎ  Ｖｏｌａｔｉｌｅ  Ｓｔａｔｉｃ  Ｒａｎｄｏｍ  Ａｃｃｅｓｓ  Ｍｅｍｏｒｙ）などのデータを書き換え可能な半導体メモリであってもよい。車内記憶装置１４０は、車両Ｖにおいて、強い衝撃等に対して強固に保護されたいわゆるブラックボックスを構成してもよい。車内記憶装置１４０は、機能概念的に、生体情報記憶部１４０ａ、車両情報記憶部１４０ｂを含んで構成される。生体情報記憶部１４０ａは、車内記憶装置１４０において生体情報を記憶する部分である。生体情報記憶部１４０ａは、典型的には、生体情報検出装置１１０によって検出され、車内情報処理装置１６０によって処理され、振り分けられた生体情報を記憶する。生体情報記憶部１４０ａは、生体情報を記憶する際には、上記基本情報も合わせて記憶するとよい。車両情報記憶部１４０ｂは、車内記憶装置１４０において車両情報を記憶する部分である。車両情報記憶部１４０ｂは、典型的には、車両情報検出装置１２０によって検出され、車内情報処理装置１６０によって処理され、振り分けられた車両情報を記憶する。車両情報記憶部１４０ｂは、車両情報を記憶する際には、上記基本情報も合わせて記憶するとよい。
【００２８】
動作部１５０は、ＥＣＵ１３０等の制御によって動作するものであり、典型的には、ＥＣＵ１３０等によって制御される車両Ｖ内の機器である。より詳細には、動作部１５０は、走行系ＥＣＵ１３０Ａによって制御される車両Ｖの走行制御、自動運転制御、安全系に関する制御等に係る機器、ＭＭ系ＥＣＵ１３０Ｂによって制御されるエンターテインメント等、マルチメディア系に係る機器等を含む。なお、動作部１５０は、車内情報処理装置１６０を介してＥＣＵ１３０等に接続されるものとして図示しているがこれに限らず車内情報処理装置１６０を介さずにＥＣＵ１３０等に接続されてもよい。
【００２９】
車内情報処理装置１６０は、車両Ｖ内において、生体情報を含む各種情報の管理、処理を行うものである。より具体的には、車内情報処理装置１６０は、生体情報検出装置１１０が検出した生体情報を車内記憶部１０１（ＥＣＵ記憶部１３１、車内記憶装置１４０）と携帯端末２００の携帯記憶部２０１とに振り分けて記憶させる処理、携帯記憶部２０１に記憶された生体情報と車内記憶部１０１に記憶された生体情報とを連携させる処理等を実行可能な機能を有する。
【００３０】
車内情報処理装置１６０は、ＣＰＵ、ＭＰＵ、ＡＳＩＣ、ＦＰＧＡ等の中央演算処理装置、ＲＯＭ、ＲＡＭ及びインターフェースを含む周知のマイクロコンピュータを主体とする電子回路を含んで構成される。車内情報処理装置１６０は、生体情報検出装置１１０、車両情報検出装置１２０、ＥＣＵ１３０、車内記憶装置１４０、動作部１５０等が電気的に接続され、検出結果に対応した検出信号、各部を駆動させるための駆動信号等の各種の電気信号を相互に授受することができる。車内情報処理装置１６０は、各種入力信号等に基づいて、格納されている制御プログラムを実行することにより、上記のような種々の処理を実行する。
【００３１】
具体的には、車内情報処理装置１６０は、機能概念的に、処理装置記憶部１６１、インターフェース部１６２、取得部１６３、種別判定部１６４、及び、振分部１６５を含んで構成される。処理装置記憶部１６１、インターフェース部１６２、取得部１６３、種別判定部１６４、及び、振分部１６５は、電気的に接続され相互に種々の情報を授受することができる。
【００３２】
処理装置記憶部１６１は、機能概念的に、情報種別テーブル１６１ａを含んで構成される。情報種別テーブル１６１ａは、生体情報検出装置１１０、車両情報検出装置１２０が検出した生体情報、車両情報を含む各種情報の種別を定めた種別情報に関する情報テーブルである。情報種別テーブル１６１ａは、種別判定部１６４によって各種情報の種別を判定する際に参照される。処理装置記憶部１６１は、この他、取得部１６３、種別判定部１６４、振分部１６５等で実行される各種プログラムや制御データを記憶する。
【００３３】
インターフェース部１６２は、車内情報処理装置１６０に接続される生体情報検出装置１１０、車両情報検出装置１２０、ＥＣＵ１３０、車内記憶装置１４０、動作部１５０や携帯端末２００等と種々の情報を送受信するためのインターフェースである。インターフェース部１６２は、各部との間における有線による通信制御、無線による通信制御を行う機能を有する。すなわち、インターフェース部１６２は、各部との間で通信線等を介し情報を有線通信する機能、各部との間で無線通信ユニット等を介して情報を無線通信する機能を有している。通信線は、例えば、ＬＡＮケーブルやＣＡＮ等の専用通信線等を用いることができるがこれらに限定されず、電力線通信（ＰＬＣ：Ｐｏｗｅｒ  Ｌｉｎｅ  Ｃｏｍｍｕｎｉｃａｔｉｏｎ）が可能なように構成された電力線が用いられてもよい。無線通信ユニットは、例えば、Ｗ−ＬＡＮ、Ｗｉ−Ｆｉ（登録商標）、Ｂｌｕｅｔｏｏｈ（登録商標）等の近距離無線通信（ＮＦＣ）等、種々の方式の無線通信が可能なユニットを用いることができるがこれらに限定されない。ここでは、インターフェース部１６２は、生体情報検出装置１１０、車両情報検出装置１２０、ＥＣＵ１３０、車内記憶装置１４０、動作部１５０が有線、携帯端末２００が無線で接続されるものとして図示しているがこれに限らず、車両情報検出装置１２０、ＥＣＵ１３０、車内記憶装置１４０、動作部１５０が無線、携帯端末２００が有線で接続されてもよい。
【００３４】
取得部１６３、種別判定部１６４、振分部１６５は、車内情報処理装置１６０において各種処理を実行する部分である。取得部１６３、種別判定部１６４、振分部１６５は、処理装置記憶部１６１に記憶されている各種プログラムを実行し、当該プログラムが動作することにより車両Ｖ内において生体情報を含む各種情報の管理、処理のために必要な様々な処理を行う。
【００３５】
取得部１６３は、種々の情報を取得する処理を実行する部分である。取得部１６３は、生体情報検出装置１１０、車両情報検出装置１２０、ＥＣＵ１３０、車内記憶装置１４０、動作部１５０、携帯端末２００等からインターフェース部１６２を介して生体情報、車両情報等を含む各種情報を取得する。取得部１６３は、取得した情報を処理装置記憶部１６１に格納することもできる。
【００３６】
種別判定部１６４は、取得部１６３によって取得された種々の情報の種別を判定する処理を実行する部分である。種別判定部１６４は、処理装置記憶部１６１に記憶されている情報種別テーブル１６１ａを参照し当該情報種別テーブル１６１ａに基づいて、取得部１６３によって取得された情報の種別を判定する。
【００３７】
振分部１６５は、生体情報検出装置１１０、車両情報検出装置１２０が検出し取得部１６３によって取得された生体情報、車両情報等を車内記憶部１０１（ＥＣＵ記憶部１３１、車内記憶装置１４０）と携帯端末２００の携帯記憶部２０１とに振り分けて記憶させる処理を実行する部分である。また、振分部１６５は、取得部１６３によって取得された携帯端末２００からの生体情報を車内記憶部１０１に格納する処理も実行可能である。振分部１６５は、場合によっては、取得部１６３によって取得された携帯端末２００からの生体情報を選別して車内記憶部１０１に格納する。これにより、振分部１６５は、携帯記憶部２０１に記憶された生体情報と車内記憶部１０１に記憶された生体情報とを連携させる処理を実行可能である。ここでは、振分部１６５は、車内記憶部１０１がＥＣＵ記憶部１３１と車内記憶装置１４０とを含んで構成されるものであることから、取得部１６３によって取得された生体情報をＥＣＵ記憶部１３１と車内記憶装置１４０と携帯記憶部２０１とに振り分けて、さらに言えば、走行系ＥＣＵ１３０ＡのＥＣＵ記憶部１３１とＭＭ系ＥＣＵ１３０ＢのＥＣＵ記憶部１３１と車内記憶装置１４０と携帯記憶部２０１とに振り分けて記憶させる。振分部１６５は、取得部１６３によって取得された生体情報を、種別判定部１６４によって判定された情報の種別に基づいて選別し振り分けてＥＣＵ記憶部１３１、車内記憶装置１４０、携帯記憶部２０１の生体情報記憶部１３１ａ、生体情報記憶部１４０ａ、後述の生体情報記憶部２０１ａに格納し記憶させる。同様に、振分部１６５は、取得部１６３によって取得された車両情報を、種別判定部１６４によって判定された情報の種別に基づいて選別し振り分けてＥＣＵ記憶部１３１、車内記憶装置１４０の車両情報記憶部１３１ｂ、車両情報記憶部１４０ｂに格納し記憶させる。なお、情報の振り分けの具体例については後で具体例を説明する。
【００３８】
携帯端末２００は、生体情報を記憶し、車内側機器群１００と車外側機器群３００との双方と連携することで、これら車内側機器群１００、携帯端末２００、車外側機器群３００を相互に連携させる機器である。携帯端末２００は、車内情報処理装置１６０や後述の車外情報処理装置３１０等によって処理され、振り分けられた生体情報を記憶する処理、車両Ｖの外部で生体情報検出装置１１０が検出した生体情報を、車内情報処理装置１６０等を介さずに記憶する処理等を実行可能な機能を有する。携帯端末２００は、例えば、携帯電話、スマートフォン、ＰＨＳ、ＰＤＡ、タブレット型ＰＣ（Ｐｅｒｓｏｎａｌ  Ｃｏｍｐｕｔｅｒ）、ノート型ＰＣ等、ウェアラブル端末等によって構成することができる。
【００３９】
携帯端末２００は、ＣＰＵ、ＭＰＵ、ＡＳＩＣ、ＦＰＧＡ等の中央演算処理装置、ＲＯＭ、ＲＡＭ及びインターフェースを含む周知のマイクロコンピュータを主体とする電子回路を含んで構成される。携帯端末２００は、各種入力信号等に基づいて、格納されている制御プログラムを実行することにより、上記のような種々の処理を実行する。
【００４０】
具体的には、携帯端末２００は、機能概念的に、携帯記憶部２０１、インターフェース部２０２、取得部２０３、及び、処理部２０４を含んで構成される。携帯記憶部２０１、インターフェース部２０２、取得部２０３、及び、処理部２０４は、電気的に接続され相互に種々の情報を授受することができる。
【００４１】
携帯記憶部２０１は、生体情報記憶部２０１ａを含んで構成される。生体情報記憶部２０１ａは、携帯端末２００の携帯記憶部２０１において生体情報を記憶する部分である。生体情報記憶部２０１ａは、典型的には、生体情報検出装置１１０によって検出され、車内情報処理装置１６０や後述の車外情報処理装置３１０によって処理され、振り分けられた生体情報を記憶する。また、生体情報記憶部２０１ａは、車両Ｖの外部で生体情報検出装置１１０、ここでは、例えば、ウェアラブル機器１１３が検出した生体情報を、車内情報処理装置１６０、車外情報処理装置３１０等を介さずに記憶することもできる。生体情報記憶部２０１ａは、生体情報を記憶する際には、上記基本情報も合わせて記憶するとよい。携帯記憶部２０１は、この他、取得部２０３、処理部２０４で実行される各種プログラムや制御データを記憶する。
【００４２】
インターフェース部２０２は、車内情報処理装置１６０、後述の車外情報処理装置３１０等と種々の情報を送受信するためのインターフェースである。すなわち、インターフェース部２０２は、各部との間で通信線等を介し情報を有線通信する機能、各部との間で無線通信ユニット等を介して情報を無線通信する機能を有している。通信線は、例えば、種々の形式のコネクタを介して当該インターフェース部２０２に電気的に接続され、ＬＡＮケーブルやＣＡＮ等の専用通信線等を用いることができるがこれらに限定されず、電力線通信が可能なように構成された電力線が用いられてもよい。無線通信ユニットは、例えば、Ｗ−ＬＡＮ、Ｗｉ−Ｆｉ（登録商標）、Ｂｌｕｅｔｏｏｈ（登録商標）等の近距離無線通信（ＮＦＣ）等、種々の方式の無線通信が可能なユニットを用いることができるがこれらに限定されない。
【００４３】
取得部２０３、処理部２０４は、携帯端末２００において各種処理を実行する部分である。取得部２０３、処理部２０４は、携帯記憶部２０１に記憶されている各種プログラムを実行し、当該プログラムが動作することにより車両Ｖの内外において生体情報を含む各種情報の管理、処理のために必要な様々な処理を行う。
【００４４】
取得部２０３は、種々の情報を取得する処理を実行する部分である。取得部２０３は、車内情報処理装置１６０や後述の車外情報処理装置３１０等からインターフェース部２０を介して生体情報等を含む各種情報を取得する。また、取得部２０３は、車両Ｖの外部で生体情報検出装置１１０、ここでは、例えば、ウェアラブル機器１１３が検出した生体情報を、車内情報処理装置１６０や後述の車外情報処理装置３１０等を介さずにインターフェース部２０２を介して取得することもできる。取得部２０３は、取得した情報を携帯記憶部２０１に格納することもできる。
【００４５】
処理部２０４は、携帯端末２００を統括的に制御する部分である。処理部２０４は、生体情報検出装置１１０によって検出され、車内情報処理装置１６０や後述の車外情報処理装置３１０によって処理され、振り分けられ取得部２０３によって取得された生体情報等を携帯記憶部２０１の生体情報記憶部２０１ａに格納し記憶させる処理を実行可能である。また、処理部２０４は、車両Ｖの外部で生体情報検出装置１１０が検出し取得部２０３によって取得された生体情報を、車内情報処理装置１６０や後述の車外情報処理装置３１０を介さずに、直接的に携帯記憶部２０１の生体情報記憶部２０１ａに格納し記憶させる処理も実行可能である。
【００４６】
車外側機器群３００は、車両Ｖの外部、例えば、屋内等に設けられる機器群である。車外側機器群３００は、車外情報処理部としての車外情報処理装置３１０と、ネットワーク３２０と、マネージメント装置３３０と、動作部３４０とを備え、これらが車両Ｖの外部に設けられる。ここでは、車外側機器群３００は、車外情報処理装置３１０とマネージメント装置３３０と動作部３４０とがネットワーク３２０を介して接続され、マネージメント装置３３０、動作部３４０がいわゆるクラウドとして実装されるものとして説明する。なお、車外側機器群３００は、車外情報処理装置３１０とマネージメント装置３３０と動作部３４０とがネットワーク３２０を介さずに接続されこれらを合わせていわゆるスタンドアローン型の装置として実現されてもよい。車外側機器群３００は、既知のＰＣやワークステーションなどのコンピュータシステムに下記で説明する種々の処理を実現させるアプリケーションをインストールすることで構成することもできる。
【００４７】
車外情報処理装置３１０は、車両Ｖ外において、生体情報を含む各種情報の管理、処理を行うものである。より具体的には、車外情報処理装置３１０は、携帯記憶部２０１に記憶された生体情報を車外記憶部としての車外記憶装置３３１に記憶させる処理、携帯記憶部２０１に記憶された生体情報と車外記憶装置３３１に記憶された生体情報とを連携させる処理等を実行可能な機能を有する。
【００４８】
車外情報処理装置３１０は、ＣＰＵ、ＭＰＵ、ＡＳＩＣ、ＦＰＧＡ等の中央演算処理装置、ＲＯＭ、ＲＡＭ及びインターフェースを含む周知のマイクロコンピュータを主体とする電子回路を含んで構成される。車外情報処理装置３１０は、ネットワーク３２０を介してマネージメント装置３３０、及び、動作部３４０等が電気的に接続され、各種の電気信号を相互に授受することができる。車外情報処理装置３１０は、各種入力信号等に基づいて、格納されている制御プログラムを実行することにより、上記のような種々の処理を実行する。
【００４９】
具体的には、車外情報処理装置３１０は、機能概念的に、処理装置記憶部３１１、インターフェース部３１２、取得部３１３、種別判定部３１４、及び、振分部３１５を含んで構成される。処理装置記憶部３１１、インターフェース部３１２、取得部３１３、種別判定部３１４、及び、振分部３１５は、電気的に接続され相互に種々の情報を授受することができる。
【００５０】
処理装置記憶部３１１は、機能概念的に、情報種別テーブル３１１ａを含んで構成される。情報種別テーブル３１１ａは、携帯端末２００等から取得した生体情報を含む各種情報の種別を定めた種別情報に関する情報テーブルである。情報種別テーブル３１１ａは、種別判定部３１４によって各種情報の種別を判定する際に参照される。処理装置記憶部３１１は、この他、取得部３１３、種別判定部３１４、振分部３１５等で実行される各種プログラムや制御データを記憶する。
【００５１】
インターフェース部３１２は、車外情報処理装置３１０にネットワーク３２０を介して接続されるマネージメント装置３３０、動作部３４０や携帯端末２００等と種々の情報を送受信するためのインターフェースである。インターフェース部３１２は、各部との間における有線による通信制御、無線による通信制御を行う機能を有する。すなわち、インターフェース部３１２は、各部との間で通信線等を介し情報を有線通信する機能、各部との間で無線通信ユニット等を介して情報を無線通信する機能を有している。通信線は、例えば、ＬＡＮケーブルやＣＡＮ等の専用通信線等を用いることができるがこれらに限定されず、電力線通信が可能なように構成された電力線が用いられてもよい。無線通信ユニットは、例えば、Ｗ−ＬＡＮ、Ｗｉ−Ｆｉ（登録商標）、Ｂｌｕｅｔｏｏｈ（登録商標）等の近距離無線通信（ＮＦＣ）等、種々の方式の無線通信が可能なユニットを用いることができるがこれらに限定されない。
【００５２】
取得部３１３は、種々の情報を取得する処理を実行する部分である。取得部３１３は、マネージメント装置３３０、動作部３４０、携帯端末２００等からインターフェース部３１２を介して生体情報等を含む各種情報を取得する。取得部３１３は、取得した情報を処理装置記憶部３１１に格納することもできる。
【００５３】
種別判定部３１４は、取得部３１３によって取得された種々の情報の種別を判定する処理を実行する部分である。種別判定部３１４は、処理装置記憶部３１１に記憶されている情報種別テーブル３１１ａを参照し当該情報種別テーブル３１１ａに基づいて、取得部３１３によって取得された情報の種別を判定する。
【００５４】
振分部３１５は、携帯記憶部２０１に記憶されており取得部３１３によって当該携帯記憶部２０１から取得された生体情報等を後述する車外記憶装置３３１に記憶させる処理を実行する部分である。振分部３１５は、場合によっては、取得部３１３によって取得された携帯端末２００の携帯記憶部２０１からの生体情報を選別して車外記憶装置３３１に格納する。また、振分部３１５は、携帯記憶部２０１に記憶された生体情報と車外記憶装置３３１に記憶された生体情報とを連携させる処理等を実行可能である。振分部３１５は、取得部３１３によって取得された生体情報を、種別判定部３１４によって判別された情報の種別に基づいて選別し振り分けて車外記憶装置３３１の後述の生体情報記憶部３３１ａに格納し記憶させる。
【００５５】
ネットワーク３２０は、車外情報処理装置３１０とマネージメント装置３３０と動作部３４０とを通信可能に接続するものである。ネットワーク３２０は、車外情報処理装置３１０とマネージメント装置３３０と動作部３４０との間で生体情報を含む各種の情報を交換させることを可能とする。ネットワーク３２０は、有線または無線を問わず、ＬＡＮ（Ｌｏｃａｌ  Ａｒｅａ  Ｎｅｔｗｏｒｋ）やＶＰＮ（Ｖｉｒｔｕａｌ  Ｐｒｉｖａｔｅ  Ｎｅｔｗｏｒｋ）などの任意の通信網を用いることができる。
【００５６】
マネージメント装置３３０は、生体情報に基づいた様々なサービスを提供するものである。マネージメント装置３３０は、ＣＰＵ、ＭＰＵ、ＡＳＩＣ、ＦＰＧＡ等の中央演算処理装置、ＲＯＭ、ＲＡＭ及びインターフェースを含む周知のマイクロコンピュータを主体とする電子回路を含んで構成される。マネージメント装置３３０は、ネットワーク３２０を介して車外情報処理装置３１０、及び、動作部３４０等が電気的に接続され、各種の電気信号を相互に授受することができる。マネージメント装置３３０は、各種入力信号等に基づいて、格納されている制御プログラムを実行することにより、様々なサービスに関する種々の処理を実行する。また、マネージメント装置３３０は、各種入力信号等に基づいて、動作部３４０等に出力信号を出力し当該動作部３４０の駆動を制御する。
【００５７】
具体的には、マネージメント装置３３０は、機能概念的に、車外記憶部としての車外記憶装置３３１、及び、処理部３３２を含んで構成される。車外記憶装置３３１、及び、処理部３３２は、電気的に接続されている各種装置との間で種々の情報を授受することができる。
【００５８】
車外記憶装置３３１は、車両Ｖの外部に設けられ情報を記憶するいわゆるサーバ装置である。車外記憶装置３３１は、例えば、ハードディスク、ＳＳＤ、光ディスクなどの比較的に大容量の記憶装置、あるいは、ＲＡＭ、フラッシュメモリ、ＮＶＳＲＡＭなどのデータを書き換え可能な半導体メモリであってもよい。車外記憶装置３３１は、機能概念的に、生体情報記憶部３３１ａを含んで構成される。生体情報記憶部３３１ａは、車外記憶装置３３１において生体情報を記憶する部分である。生体情報記憶部３３１ａは、典型的には、車外情報処理装置３１０によって処理され、振り分けられた生体情報を記憶する。生体情報記憶部３３１ａは、生体情報を記憶する際には、上記基本情報も合わせて記憶するとよい。車外記憶装置３３１は、この他、処理部３３２で実行される各種プログラムや制御データを記憶する。
【００５９】
処理部３３２は、マネージメント装置３３０にネットワーク３２０を介して接続される動作部３４０を統括的に制御する部分である。処理部３３２は、車外記憶装置３３１に記憶されている各種プログラムを実行し、当該プログラムが動作することにより動作部３４０の機能を実現するために必要な様々な処理を行う。
【００６０】
動作部３４０は、マネージメント装置３３０等の制御によって動作するものであり、典型的には、マネージメント装置３３０等によって提供される様々なサービスを実現するための機器である。動作部３４０は、マネージメント装置３３０等によって提供される様々なサービスに係る機器として、例えば、スピーカ、各種表示装置、各種入出力装置等を含む。
【００６１】
次に、図３のフローチャート図を参照して生体情報記憶システム１における制御フローの一例を説明する。なおここでは、車内情報処理装置１６０、車外情報処理装置３１０における生体情報の振り分けを中心に説明する。またここでは、車内情報処理装置１６０における処理と車外情報処理装置３１０における処理とを合わせて可能な限り共通の説明とする。
【００６２】
まず、車内情報処理装置１６０、車外情報処理装置３１０の取得部１６３、３１３は、情報取得処理として、インターフェース部１６２、３１２を介して生体情報、車両情報等を含む各種情報を取得する（ステップＳＴ１）。この場合、車内情報処理装置１６０の取得部１６３は、生体情報検出装置１１０、車両情報検出装置１２０、車内記憶装置１４０、携帯端末２００等からインターフェース部１６２を介して生体情報、車両情報等を含む各種情報を取得する。車外情報処理装置３１０の取得部３１３は、マネージメント装置３３０、携帯端末２００等からインターフェース部３１２を介して生体情報等を含む各種情報を取得する。
【００６３】
次に、車内情報処理装置１６０、車外情報処理装置３１０の種別判定部１６４、３１４は、種別判定処理として、処理装置記憶部１６１、３１１に記憶されている情報種別テーブル１６１ａ、３１１ａを参照し、当該情報種別テーブル１６１ａ、３１１ａに基づいて、ステップＳＴ１で取得部１６３、３１３によって取得された生体情報、車両情報の種別を判定する（ステップＳＴ２）。
【００６４】
次に、車内情報処理装置１６０、車外情報処理装置３１０の振分部１６５、３１５は、振り分け処理として、ステップＳＴ１で取得部１６３、３１３によって取得された生体情報、車両情報を、ステップＳＴ２で判定された情報の種別に応じて、ＥＣＵ記憶部１３１、車内記憶装置１４０、携帯記憶部２０１、車外記憶装置３３１に振り分けて（ステップＳＴ３）、格納処理として、各記憶部に格納し記憶させる（ステップＳＴ４）。この場合、振分部１６５は、取得部１６３によって取得された生体情報を種別に応じて選別し振り分けてＥＣＵ記憶部１３１（走行系ＥＣＵ１３０Ａ、ＭＭ系ＥＣＵ１３０Ｂ）、車内記憶装置１４０、携帯記憶部２０１の生体情報記憶部１３１ａ、生体情報記憶部１４０ａ、生体情報記憶部２０１ａに格納し記憶させる。これにより、振分部１６５は、携帯記憶部２０１に記憶された生体情報とＥＣＵ記憶部１３１に記憶された生体情報と車内記憶装置１４０に記憶された生体情報とを連携させる。同様に、振分部１６５は、取得部１６３によって取得された車両情報を種別に応じて選別し振り分けてＥＣＵ記憶部１３１（走行系ＥＣＵ１３０Ａ、ＭＭ系ＥＣＵ１３０Ｂ）、車内記憶装置１４０の生体情報記憶部１３１ａ、生体情報記憶部１４０ａに格納し記憶させることができる。一方、振分部３１５は、取得部３１３によって取得された生体情報を種別に応じて選別し振り分けて車外記憶装置３３１、携帯記憶部２０１の生体情報記憶部３３１ａ、生体情報記憶部２０１ａに格納し記憶させる。これにより、振分部１６５は、携帯記憶部２０１に記憶された生体情報と車外記憶装置３３１に記憶された生体情報とを連携させることができる。
【００６５】
そして、生体情報記憶システム１は、ＥＣＵ記憶部１３１、車内記憶装置１４０、携帯記憶部２０１、車外記憶装置３３１等の各記憶部に生体情報、車両情報が振り分けられて記憶され、当該各記憶部に記憶された生体情報、車両情報を動作部１５０、３４０にて利用可能な状態となり（ステップＳＴ５）、この制御フローを終了する。
【００６６】
次に、上記のように構成された生体情報記憶システム１の具体的な動作例について説明する。
【００６７】
生体情報記憶システム１は、携帯記憶部２０１に記憶された生体情報とＥＣＵ記憶部１３１に記憶された生体情報と車内記憶装置１４０に記憶された生体情報とを連携させる場合、各記憶部に記憶された生体情報をすべて一致させるようにしてもよいし、情報の利用用途に応じて一部を選別して連携させるようにしてもよい。同様に、生体情報記憶システム１は、携帯記憶部２０１に記憶された生体情報と車外記憶装置３３１に記憶された生体情報とを連携させる場合、各記憶部に記憶された生体情報をすべて一致させるようにしてもよいし、情報の利用用途に応じて一部を選別して連携させるようにしてもよい。例えば、車内記憶装置１４０、車外記憶装置３３１は、比較的に大容量のストレージによって構成されることから、原則的には生体情報検出装置１１０によって検出された全ての生体情報を記憶しデータベース化するようにしてもよい。一方、ＥＣＵ記憶部１３１は、例えば、動作部１５０を動作させる際等に用いられる生体情報に絞って記憶するようにしてもよい。また、例えば、車内記憶装置１４０は、複数のＥＣＵ１３０、ここでは、走行系ＥＣＵ１３０Ａ、ＭＭ系ＥＣＵ１３０Ｂの双方で用いられる生体情報を記憶する一方、各ＥＣＵ１３０のＥＣＵ記憶部１３１は、それぞれで個別に用いる生体情報のみを記憶するようにしてもよい。また、車内記憶装置１４０は、車両Ｖにおいて強い衝撃等に対して強固に保護されたブラックボックスとして構成される場合には、交通事故等の検証や発生要因調査等に用いることができるように生体情報、車両情報を関連付けて記憶してもよい。携帯記憶部２０１は、車内記憶装置１４０と車外記憶装置３３１とを連携させるために生体情報検出装置１１０によって検出された全ての生体情報を記憶するようにしてもよいし、利用者の要求等に応じて任意の生体情報に絞って記憶するようにしてもよい。
【００６８】
また、生体情報記憶システム１は、上記のようにＥＣＵ記憶部１３１、車内記憶装置１４０、携帯記憶部２０１、車外記憶装置３３１に記憶される生体情報を、例えば、順次蓄積していってもよいし、予め設定される更新時間ごとに随時更新していってもよい。例えば、車内記憶装置１４０、車外記憶装置３３１は、比較的に大容量のストレージによって構成されることから、原則的には振分部１６５、３１５によって振り分けられ格納された生体情報を時系列的に全て記憶し、利用者の要求等により各種入出力装置を介して所定の操作がなされた際にクリア（削除）されるようにしてもよい。一方、ＥＣＵ記憶部１３１は、例えば、動作部１５０を動作させる際等に用いられる比較的に短期間の生体情報があればよいような場合には、予め設定される更新時間ごとに随時更新するようにしてもよい。また、携帯記憶部２０１は、例えば、利用者の要求等に応じて、全ての生体情報を蓄積するか予め設定される更新時間ごとに更新するか選択できるようにしてもよい。
【００６９】
また、生体情報記憶システム１は、上記のようにしてＥＣＵ記憶部１３１、車内記憶装置１４０、携帯記憶部２０１、車外記憶装置３３１に記憶された生体情報に基づいて動作部１５０、３４０が動作する。各動作部１５０、３４０は、ＥＣＵ記憶部１３１、車内記憶装置１４０、携帯記憶部２０１、車外記憶装置３３１に記憶された現在の生体情報、及び、過去の生体情報に基づいて動作するようにしてもよい。さらに言えば、動作部１５０は、車両Ｖの内部で検出された生体情報に加え、車両Ｖの外部で検出された生体情報にも基づいて動作するようにしてもよい。逆に、動作部３４０は、車両Ｖの外部で検出された生体情報に加え、車両Ｖの内部で検出された生体情報にも基づいて動作するようにしてもよい。
【００７０】
例えば、車両Ｖに設けられる動作部１５０は、ＥＣＵ記憶部１３１、車内記憶装置１４０、携帯記憶部２０１等に記憶された現在の生体情報に基づいて、乗員ＣＲの血中アルコール濃度を把握し、ＥＣＵ１３０の制御によって、当該血中アルコール濃度を各種表示装置、各種入出力装置等を介して出力して乗員ＣＲに報知するようにしてもよい。
【００７１】
また例えば、車両Ｖに設けられる動作部１５０は、ＥＣＵ記憶部１３１、車内記憶装置１４０、携帯記憶部２０１等に記憶された現在の生体情報に加え、過去の生体情報（例えば、直近数日間の睡眠時間等）に基づいて、乗員ＣＲのうちの運転者の疲労度や覚醒度等を推定し、ＥＣＵ１３０の制御によって、当該疲労度や覚醒度を各種表示装置、各種入出力装置等を介して出力して乗員ＣＲに報知し、運転の中止を促したり、運転の交代を促したりしてもよい。
【００７２】
また例えば、車両Ｖに設けられる動作部１５０は、ＥＣＵ記憶部１３１、車内記憶装置１４０、携帯記憶部２０１等に記憶された現在の生体情報と過去の生体情報との差分をとって現在の乗員ＣＲのより詳細な体調を把握し、ＥＣＵ１３０の制御によって、当該詳細な体調を各種表示装置、各種入出力装置等を介して出力して乗員ＣＲに報知するようにしてもよい。
【００７３】
また例えば、車両Ｖに設けられる動作部１５０は、ＥＣＵ記憶部１３１、車内記憶装置１４０、携帯記憶部２０１等に記憶された生体情報に基づいて、ＥＣＵ１３０の制御によって、現在の体調等に合わせてマルチメディア系に係る機器（スピーカ、車内照明、各種表示装置、各種入出力装置等）が自動で調整されてもよいし、車両Ｖの走行制御、自動運転制御、安全系に関する制御等に係る機器（走行用パワートレーン、操舵装置、制動装置等）が自動で調整されてもよい。
【００７４】
また例えば、車両Ｖの外部に設けられる動作部３４０は、携帯記憶部２０１、車外記憶装置３３１等に記憶された現在の生体情報と過去の生体情報とに基づいて、乗員ＣＲの健康状態を詳細に把握し、マネージメント装置３３０の制御によって、当該健康状態に基づいたアドバイスや健康管理スケジュール等を各種表示装置、各種入出力装置等を介して出力して乗員ＣＲに報知し、健康マネージメントを行うようにしてもよい。
【００７５】
以上で説明した生体情報記憶システム１によれば、車両Ｖの乗員ＣＲの生体情報を検出する生体情報検出装置１１０と、車両Ｖに据え置かれ情報を記憶する車内記憶部１０１と、車両Ｖの内部に持ち込み可能である携帯端末２００に設けられ情報を記憶する携帯記憶部２０１と、生体情報検出装置１１０が検出した生体情報を車内記憶部１０１と携帯記憶部２０１とに振り分けて記憶させる処理を実行可能である車内情報処理装置１６０とを備える。
【００７６】
以上で説明した車内側機器群１００によれば、車両Ｖの乗員ＣＲの生体情報を検出する生体情報検出装置１１０と、車両Ｖに据え置かれ情報を記憶する車内記憶部１０１と、生体情報検出装置１１０が検出した生体情報を車内記憶部１０１と車両Ｖの内部に持ち込み可能である携帯端末２００に設けられ情報を記憶する携帯記憶部２０１とに振り分けて記憶させる処理を実行可能である車内情報処理装置１６０とを備える。
【００７７】
したがって、生体情報記憶システム１、車内側機器群１００は、生体情報検出装置１１０が検出した車両Ｖの乗員ＣＲの生体情報を車内情報処理装置１６０によって車内記憶部１０１と携帯記憶部２０１とに振り分けて記憶させることから、車両Ｖの内部では車内記憶部１０１に記憶された生体情報を利用する一方、車両Ｖの外部では携帯端末２００に設けられた携帯記憶部２０１に記憶された生体情報を利用することができる。この結果、生体情報記憶システム１、車内側機器群１００は、車両Ｖの乗員ＣＲの生体情報を車両Ｖの内外でシームレスに管理、利用させることができ、生体情報を車両内外で適正に利用させることができる。
【００７８】
さらに、以上で説明した生体情報記憶システム１、車内側機器群１００によれば、車内記憶部１０１は、車両Ｖ内の機器を制御するＥＣＵ１３０に設けられるＥＣＵ記憶部１３１、及び、ＥＣＵ記憶部１３１よりも大容量の情報を記憶可能である車内記憶装置１４０を含む。したがって、生体情報記憶システム１、車内側機器群１００は、車両Ｖの乗員ＣＲの生体情報を、車両Ｖ内において、さらに用途、種別等に応じてＥＣＵ記憶部１３１と車内記憶装置１４０とに振り分けて記憶させることができることから、ＥＣＵ記憶部１３１、車内記憶装置１４０に記憶されている生体情報をより多様に使い分けさせることができる。
【００７９】
さらに、以上で説明した生体情報記憶システム１、車内側機器群１００によれば、生体情報検出装置１１０は、乗員ＣＲに装着され、車両Ｖの外部で生体情報を検出可能であるウェアラブル機器１１３を含み、携帯記憶部２０１は、車両Ｖの外部でウェアラブル機器１１３が検出した生体情報を、車内情報処理装置１６０を介さずに記憶し、車内情報処理装置１６０は、携帯記憶部２０１に記憶された生体情報と車内記憶部１０１に記憶された生体情報とを連携させる処理を実行可能である。したがって、生体情報記憶システム１、車内側機器群１００は、車両Ｖ内で検出された乗員ＣＲの生体情報だけでなく、車両Ｖ外で検出された乗員ＣＲの生体情報も一緒に管理、利用させることができるので、生体情報を車両内外でより適正に利用させることができる。
【００８０】
さらに、以上で説明した生体情報記憶システム１によれば、車両Ｖの外部に設けられ情報を記憶する車外記憶装置３３１と、携帯記憶部２０１に記憶された生体情報を車外記憶装置３３１に記憶させる処理を実行可能である車外情報処理装置３１０とを備える。より詳細には、以上で説明した生体情報記憶システム１によれば、車外情報処理装置３１０は、携帯記憶部２０１に記憶された生体情報と車外記憶装置３３１に記憶された生体情報とを連携させる処理を実行可能である。したがって、生体情報記憶システム１は、車外情報処理装置３１０による処理を通じて、携帯端末２００の携帯記憶部２０１が車内記憶部１０１と車外記憶装置３３１との双方と連携することで、これら車内記憶部１０１と携帯記憶部２０１と車外記憶装置３３１とを相互に連携させて車両Ｖの乗員ＣＲの生体情報を管理、利用させることができる。
【００８１】
さらに、以上で説明した生体情報記憶システム１、車内側機器群１００によれば、現在の生体情報、及び、過去の生体情報に基づいて動作する動作部１５０、３４０を備える。したがって、生体情報記憶システム１、車内側機器群１００は、現在の生体情報、及び、過去の生体情報に基づいたより精度の高い乗員ＣＲの生体情報に基づいて動作部１５０、３４０を動作させることができる。
【００８２】
なお、上述した本発明の実施形態に係る生体情報記憶システム、及び、車内生体情報記憶装置は、上述した実施形態に限定されず、特許請求の範囲に記載された範囲で種々の変更が可能である。
【００８３】
以上で説明した情報種別テーブル１６１ａ、３１１ａ、プログラム、制御データ、アプリケーション等は、適宜、更新されてもよいし、車内側機器群１００、携帯端末２００、車外側機器群３００に対して任意のネットワークを介して接続されたサーバに記憶されていてもよく、例えば、必要に応じてその全部または一部をダウンロードすることも可能である。また、例えば、車内側機器群１００、携帯端末２００、車外側機器群３００の各装置が備える処理機能については、その全部または任意の一部を、例えば、ＣＰＵ等及び当該ＣＰＵ等にて解釈実行されるプログラムにて実現してもよく、また、ワイヤードロジック等によるハードウェアとして実現してもよい。
【００８４】
以上の説明では、生体情報検出装置１１０は、車内側機器群１００であるものとして説明しているが上述したように、一部の機器、ここでは、ウェアラブル機器１１３を車両Ｖの外へ持ち出すことができる。また、生体情報検出装置１１０は、車両Ｖの内部で生体情報を検出する機器に加え、車両Ｖの外部でも生体情報を検出する当該ウェアラブル機器１１３を含むものとして説明したがこれに限らず、ウェアラブル機器１１３を備えていなくてもよい。また、生体情報記憶システム１は、車外側機器群３００にも生体情報検出装置１１０と同様の生体情報検出装置が設けられていてもよい。
【００８５】
以上の説明では、生体情報記憶システム１は、車外側機器群３００を備えるものとして説明したがこれに限らず、当該車外側機器群３００を備えない構成であってもよい。
【００８６】
以上の説明では、車内記憶部１０１は、第１記憶部としてのＥＣＵ記憶部１３１、及び、第２記憶部としての車内記憶装置１４０を含んで構成されるものとして説明したがこれに限らずいずれか一方だけであってもよい。
【００８７】
なお、生体情報記憶システム１は、例えば、複数の携帯端末２００が用いられる場合には、例えば、各携帯端末２００の個体識別情報と、当該携帯端末２００を所有する乗員ＣＲの生体情報に含まれる個体識別情報とを予めマッチングしておき、対応する携帯端末２００と乗員ＣＲとの組み合わせを予め特定できるようにしておけばよく、車内情報処理装置１６０、車外情報処理装置３１０は、これに応じて生体情報を適宜振り分けるようにすればよい。
【符号の説明】
【００８８】
１    生体情報記憶システム
１００    車内側機器群（車内生体情報記憶装置）
１０１    車内記憶部
１１０    生体情報検出装置（生体情報検出部）
１１３    ウェアラブル機器
１３０    ＥＣＵ（制御部）
１３１    ＥＣＵ記憶部（第１記憶部）
１４０    車内記憶装置（第２記憶部）
１５０、３４０    動作部
１６０    車内情報処理装置（車内情報処理部）
２００    携帯端末
２０１    携帯記憶部
３１０    車外情報処理装置（車外情報処理部）
３３１    車外記憶装置（車外記憶部）
ＣＲ    乗員
Ｖ    車両
【図１】
2018011631.tif 000003
【図２】
2018011631.tif 000004
【図３】
2018011631.tif 000005